(57)【要約】【課題】除電や凝集の対象とするごみや風路壁面にイオンを確実に届けることができる電気掃除機を提供する。【解決手段】吸引風を発生させる送風機１６と、送風機１６を内蔵した筐体１０と、吸引風により含塵空気を吸い込む吸込口体９と、含塵空気の中からごみを捕集する集塵部２０と、吸込口体９と集塵部２０とを連通する吸引風路１２と、集塵部２０及び吸引風路１２の少なくとも一方にイオンを放出するイオン生成手段３８と、イオン生成手段３８を格納したケース体３７と、を備え、集塵部２０、吸引風路１２、ケース体３８の少なくとも一つは、帯電列において含塵空気よりもイオン側にある内面を有するようにした。【選択図】図１３
2012228453.tif 000002
【特許請求の範囲】
【請求項１】
吸引風を発生させる送風機と、
前記送風機を内蔵した筐体と、
前記吸引風により含塵空気を吸い込む吸込口体と、
前記含塵空気の中からごみを捕集する集塵部と、
前記吸込口体と前記集塵部とを連通する吸引風路と、
前記集塵部及び前記吸引風路の少なくとも一方にイオンを放出するイオン生成手段と、
前記イオン生成手段を格納したケース体と、
を備え、
前記集塵部、前記吸引風路、前記ケース体の少なくとも一つは、帯電列において前記含塵空気よりも前記イオン側にある内面を有する電気掃除機。
【請求項２】
前記集塵部は、帯電列において前記含塵空気よりも前記イオン側にある内面を有し、
前記吸引風路は、帯電列において前記集塵部よりも前記イオン側にある内面を有する請求項１記載の電気掃除機。
【請求項３】
前記吸引風路は、帯電列において前記含塵空気よりも前記イオン側にある内面を有し、
前記ケース体は、帯電列において前記吸引風路よりも前記イオン側にある内面を有する請求項１又は請求項２に記載の電気掃除機。
【請求項４】
前記吸引風を発生させるための送風機、
を備え、
前記集塵部、前記吸引風路、前記ケース体の少なくとも一つの一部は、前記送風機の下流側に近接した請求項１〜請求項３のいずれかに記載の電気掃除機。
【発明の詳細な説明】
【技術分野】
【０００１】
この発明は、電気掃除機に関するものである。
【背景技術】
【０００２】
電気掃除機においては、ごみと掃除機内の風路とが接触する。この際、ごみと風路壁面との帯電列上の位置に起因して、ごみが正及び負の少なくとも一方に帯電する。帯電したごみは、集塵部に捕集される際に電気力によって集塵部の内面に付着する。このため、ごみを集塵部から捨てる際、ごみの滑落性が悪くなる。
【０００３】
これに対し、集塵部内にイオンを放出する電気掃除機が提案されている。この電気掃除機によれば、ごみや風路壁面を除電することができる（例えば、特許文献１参照）。
【０００４】
また、集塵部よりも上流側にイオンを放出する装置も提案されている。この装置によれば、ごみはイオンにより事前に凝集される。凝集したごみは、集塵部に捕集される。これにより、集塵部の集塵効率を高めることができる（例えば、特許文献２参照）。
【先行技術文献】
【特許文献】
【０００５】
【特許文献１】特開２０１１−０１５８８１号公報
【特許文献２】特表昭５９−５０２０５９号公報
【発明の概要】
【発明が解決しようとする課題】
【０００６】
しかしながら、特許文献１及び特許文献２においては、イオンが途中の経路で消失し得る。この場合、イオンがごみや風路壁面に十分に行き届かない。すなわち、除電や凝集の効果が十分でない。
【０００７】
この発明は、上述のような課題を解決するためになされたもので、その目的は、除電や凝集の対象とするごみや風路壁面にイオンを確実に届けることができる電気掃除機を提供することである。
【課題を解決するための手段】
【０００８】
この発明に係る電気掃除機は、吸引風を発生させる送風機と、前記送風機を内蔵した筐体と、前記吸引風により含塵空気を吸い込む吸込口体と、前記含塵空気の中からごみを捕集する集塵部と、前記吸込口体と前記集塵部とを連通する吸引風路と、前記集塵部及び前記吸引風路の少なくとも一方にイオンを放出するイオン生成手段と、前記イオン生成手段を格納したケース体と、を備え、前記集塵部、前記吸引風路、前記ケース体の少なくとも一つは、帯電列において前記含塵空気よりも前記イオン側にある内面を有するものである。
【発明の効果】
【０００９】
この発明によれば、除電や凝集の対象とするごみや風路壁面にイオンを確実に届けることができる。
【図面の簡単な説明】
【００１０】
【図１】この発明の実施の形態１における電気掃除機の斜視図である。
【図２】この発明の実施の形態１における電気掃除機の本体の斜視図である。
【図３】この発明の実施の形態１における電気掃除機の本体の平面図である。
【図４】この発明の実施の形態１における電気掃除機の本体の側面図である。
【図５】図３のＡ−Ａ線における断面図である。
【図６】図３のＢ−Ｂ線における断面図である。
【図７】この発明の実施の形態１における電気掃除機の集塵部の縦断面図である。
【図８】図７のＣ−Ｃ線における断面図である。
【図９】図７のＤ−Ｄ線における断面図である。
【図１０】図７のＥ−Ｅ線における断面図である。
【図１１】この発明の実施の形態１における電気掃除機の本体筐体の平面図である。
【図１２】図１１から上筐体を取り外した状態を示す平面図である。
【図１３】図１１のＦ−Ｆ線における断面図である。
【図１４】図４のＧ−Ｇ線における断面図である。
【図１５】この発明の実施の形態１における電気掃除機のイオン生成手段の斜視図である。
【図１６】この発明の実施の形態２における電気掃除機のイオン生成手段の斜視図である。
【図１７】この発明の実施の形態３における電気掃除機のイオン生成手段の斜視図である。
【発明を実施するための形態】
【００１１】
この発明を実施するための形態について添付の図面に従って説明する。なお、各図中、同一又は相当する部分には同一の符号を付しており、その重複説明は適宜に簡略化ないし省略する。
【００１２】
実施の形態１．
まず、図１を用いて、電気掃除機の概要を説明する。
図１はこの発明の実施の形態１における電気掃除機の斜視図である。
【００１３】
図１において、１はサイクロン方式の掃除機本体である。掃除機本体１の後部両側には、車輪２が設けられる。掃除機本体１の後部には、コードリール部（図示せず）が設けられる。コードリール部には、電源コード３が巻き付けられる。
【００１４】
掃除機本体１の前部には、サクションホース４の一端が接続される。サクションホース４は、可撓性を有するように蛇腹状に形成される。サクションホース４の他端には、接続パイプ５の一端が接続される。接続パイプ５は、中途にて若干折れ曲がるように形成される。接続パイプ５には、取手６が設けられる。取手６には、操作スイッチ７が設けられる。接続パイプ５の他端には、吸引パイプ８の一端が接続される。吸引パイプ８は、円筒状に真っ直ぐに形成される。吸引パイプ８の他端には、吸込口体９が接続される。
【００１５】
次に、図２〜図６を用いて、掃除機本体１を説明する。
図２はこの発明の実施の形態１における電気掃除機の本体の斜視図である。図３はこの発明の実施の形態１における電気掃除機の本体の平面図である。図４はこの発明の実施の形態１における電気掃除機の本体の側面図である。図５は図３のＡ−Ａ線における断面図である。図６は図３のＢ−Ｂ線における断面図である。
【００１６】
図２に示すように、掃除機本体１の下部には、本体筐体１０が配置される。本体筐体１０は、下筐体１０ａと上筐体１０ｂとからなる。下筐体１０ａは、本体筐体１０の下部に配置される。上筐体１０ｂは、本体筐体１０の上部に配置される。
【００１７】
図２に示すように、本体筐体１０の前部には、吸引口１１が形成される。図２〜４に示すように、本体筐体１０の一側には、吸引風路１２が設けられる。図３に示すように、本体筐体１０の他側には、排気口１３が設けられる。
【００１８】
図５と図６とに示すように、下筐体１０ａと上筐体１０ｂとの間には、空間が形成される。図６に示すように、本体筐体１０の他側の後方上部には、排出風路１４が形成される。排出風路１４の下方には、吸気フィルタ１５が配置される。吸気フィルタ１５の下方には、電動送風機１６が配置される。電動送風機１６の前方には、排気フィルタ１７が配置される。排気フィルタ１７の前方には、排気空間１８が形成される。排気空間１８の下部には、電源基板１９が設けられる。
【００１９】
図２に示すように、掃除機本体１の上部には、集塵部２０が設けられる。集塵部２０は、本体筐体１０の上部に着脱自在に取り付けられる。例えば、図２、図５に示すように、集塵部２０の一側には、一次サイクロン分離装置２０ａが設けられる。例えば、図２、図６に示すように、集塵部２０の他側には、二次サイクロン分離装置２０ｂが設けられる。
【００２０】
次に、図７〜図１０を用いて、集塵部２０をより具体的に説明する。
【００２１】
図７はこの発明の実施の形態１における電気掃除機の集塵部の縦断面図である。図８は図７のＣ−Ｃ線における断面図である。図９は図７のＤ−Ｄ線における断面図である。図１０は図７のＥ−Ｅ線における断面図である。
【００２２】
図７に示すように、一次サイクロン分離装置２０ａの外面には、一次流入口２１が形成される。図８に示すように、一次流入口２１には、一次旋回室２２の一次円筒部２２ａの接線側が接続される。図７に示すように、一次円筒部２２ａの下方には、一次円錐部２２ｂが連結される。一次円錐部２２ｂの下方には、一次開口部２３が形成される。一次円錐部２２ｂの周りには、一次集塵室２４が形成される。
【００２３】
図７に示すように、一次円筒部２２ａの中央には、一次排出口２５が形成される。一次排出口２５の下方は円錐体２５ａからなる。一次排出口２５の上方は円筒体２５ｂからなる。円筒体２５ｂの上方には、一次排出管２６が連結される。
【００２４】
図７に示すように、二次サイクロン分離装置２０ｂの上部には、二次流入口２７が形成される。図９に示すように、二次流入口２７は、一次排出管２６に連結される。二次流入口２７には、二次旋回室２８の二次円筒部２８ａの接線方向が接続される。図７に示すように、二次円筒部２８ａの下方には、二次円錐部２８ｂが連結される。二次円錐部２８ｂの下方には、二次開口部２９が形成される。二次開口部２９の下方には、二次集塵室３０が連結される。二次円錐部２８ｂの周りには、０次集塵室３１が形成される。
【００２５】
図７に示すように、二次円筒部２８ａの中央には、二次排出口３２が形成される。二次排出口３２の上方には、二次排出管３３が連結される。
【００２６】
図７に示すように、一次サイクロン分離装置２０ａと二次サイクロン分離装置２０ｂとは、隔壁３４等によって区切られる。ただし、図１０に示すように、一次円筒部２２ａと０次集塵室３１との間には、０次開口部３５が形成される。図７に示すように、一次集塵室２４と０次集塵室３１との間には、連通部３６が形成される。
【００２７】
次に、図１を用いて、掃除機本体１がごみを吸引する際の含塵空気の流れを説明する。
掃除機本体１は、電源コード３が外部電源に接続されることで通電する。この状態で操作スイッチ７が操作されると、電動送風機１６（図１においては図示せず）は、所定の吸引風を発生させる。この吸引風により、吸込口体９は、床面上のごみと周囲の空気を含塵空気として吸い込む。
【００２８】
当該含塵空気は、吸引パイプ８、接続パイプ５、サクションホース４を介して、掃除機本体１に流入する。すなわち、吸込口体９、吸引パイプ８、接続パイプ５、サクションホース４は、含塵空気を掃除機本体１に流入させるための経路の一部となる。
【００２９】
次に、図１１を用いて、本体筐体１０から集塵部２０までの含塵空気の流れを説明する。
図１１はこの発明の実施の形態１における電気掃除機の本体筐体の平面図である。
図１１に示すように、本体筐体１０内においては、含塵空気は、吸引口１１、吸引風路１２を介して、集塵部２０の一次サイクロン分離装置２０ａ（図１１においては図示せず）に到達する。
【００３０】
次に、図７を用いて、集塵部２０がごみを捕集する際の動作を説明する。
本体筐体１０から到達した含塵空気は、一次旋回室２２で旋回する。この旋回により、当該含塵空気からごみが遠心分離される。当該ごみは、０次集塵室３１又は一次集塵室２４に捕集される。
【００３１】
ごみと分離された含塵空気は、一次排出口２５、一次排出管２６を介して、二次流入口２７に到達する。当該含塵空気は、二次旋回室２８で旋回する。この旋回により、当該含塵空気から微細塵が遠心分離される。当該微細塵は、二次集塵室３０に捕集される。微細塵と分離された空気は、二次排出口３２、二次排出管３３を介して、本体筐体１０（図７においては図示せず）へ排出される。
【００３２】
次に、図６を用いて、本体筐体１０から排出される空気の流れを説明する。
集塵部２０から排出された空気は、排出風路１４に到達する。当該空気は、吸気フィルタ１５、電動送風機１６を通過する。このとき、電動送風機１６のコイル部（図示せず）に流れる電流により当該コイル部が発熱している。この発熱により、当該空気の温度が上昇する。温度上昇した空気は、排気フィルタ１７、排気空間１８、排気口１３を順に経て、本体筐体１０の外部に排出される。
【００３３】
次に、図１２〜図１５を用いて、吸引風路１２にイオンを放出する構造を説明する。
図１２は図１１から上筐体を取り外した状態を示す平面図である。図１３は図１１のＦ−Ｆ線における断面図である。図１４は図４のＧ−Ｇ線における断面図である。図１５はこの発明の実施の形態１における電気掃除機のイオン生成手段の斜視図である。
【００３４】
図１２に示すように、本体筐体１０の前方では、吸引風路１２の上部に近接して、ケース体３７が設けられる。図１３と図１４とに示すように、ケース体３７は、上ケース３７ａと下ケース３７ｂとからなる。上ケース３７ａの上部には、取込口３７ｃが設けられる。下ケース３７ｂの下部には、放出口３７ｄが設けられる。図１３に示すように、ケース体３７の少なくとも一部は、排気空間１８に露出する。
【００３５】
図１３と図１４とに示すように、上ケース３７ａと下ケース３７ｂとの間には、イオン生成手段３８が設けられる。イオン生成手段３８は、フレーム３８ａ、支持体３８ｂ、放電電極３８ｃを備える。
【００３６】
図１５に示すように、フレーム３８ａは、角筒状に形成される。支持体３８ｂは、板状に形成される。支持体３８ｂは、フレーム３８ａ内の一面に固定される。放電電極３８ｃは、針状に形成される。放電電極３８ｃは、支持体３８ｂの一縁部に支持される。この際、支持体３８ｂの肉厚方向中心の平面は、放電電極３８ｃの軸心を通過する。
【００３７】
本実施の形態においては、図１３と図１４とに示すように、取込口３７ｃと放出口３７ｄとを結ぶ平面と放電電極３８ｃの延設方向とが略平行となるように、イオン生成手段３８が電源基板１９（図１３と図１４とにおいては図示せず）に近接して配置される。具体的には、放電電極３８ｃの根元側は、取込口３７ｃ側に配置される。これに対し、放電電極３８ｃの先端側は、放出口３７ｄ側に配置される。
【００３８】
このイオン生成手段３８においては、高電圧が放電電極３８ｃに印加されると、放電電極３８ｃの先端から大気中に向けて放電が発生する。この放電により、集中電界が発生する。
【００３９】
当該集中電界内においては、空気分子から外郭電子が奪われる。その結果、当該空気分子は、正イオンになる。これに対し、当該空気分子から離脱した電子は、別の空気分子に捕獲される。その結果、別の空気分子は、負イオンになる。
【００４０】
放電電極３８ｃに印加される電圧が正である場合、正イオンは、放電電極３８ｃに反発される。その結果、正イオンは、イオン風として、放電電極３８ｃの延設方向に放電電極３８ｃの先端から広がって離れるように、自由空間（集中電界外の空間）に放出される。これに対し、放電電極３８ｃに印加される高電圧が負である場合、負イオンは、放電電極３８ｃに反発される。その結果、負イオンは、イオン風として、放電電極３８ｃの延設方向に放電電極３８ｃの先端から広がって離れるように、自由空間に放出される。
【００４１】
一方、含塵空気は、ケース体３７、吸引風路１２、集塵部２０等の風路を通過する際に各内壁面と接触する。この際、含塵空気と各内壁面との帯電列上の位置に起因して、各内壁面が帯電する。例えば、帯電列において内壁面が含塵空気よりも正側の場合、該内壁面は正に帯電する。これに対し、含塵空気は負に帯電する。
【００４２】
そこで、本実施の形態においては、ケース体３７の内壁面、吸引風路１２の内壁面、集塵部２０の内壁面を、帯電列において含塵空気よりもイオン側にある材料で形成した。このため、イオンが正イオンである場合は、これらの内壁面は、帯電列において含塵空気よりも正側になる。これに対し、イオンが負イオンである場合は、これらの内壁面は、帯電列において含塵空気よりも負側になる。
【００４３】
その結果、これらの内壁面は、イオンと同極性に帯電する。この帯電により、イオンが電気力により内壁面に吸着されることを防止できる。すなわち、吸引風路１２へのイオンの放出効率が高まる。
【００４４】
以上で説明した実施の形態１によれば、ケース体３７の内壁面、吸引風路１２の内壁面、集塵部２０の内壁面は、帯電列において含塵空気よりもイオン側にある。このため、ごみにイオンを確実に届けることができる。その結果、ごみを確実に凝集させることができる。
【００４５】
なお、ケース体３７の内壁面、吸引風路１２の内壁面、集塵部２０の内壁面のうち少なくとも一つを、帯電列において含塵空気よりもイオン側にあるようにしてもよい。さらには、各内壁面の一部分でも、帯電列において含塵空気よりもイオン側にあるようにしてもよい。この場合も、イオンが電気力により当該部分に吸着されることを防止できる。
【００４６】
ただし、除電の対象とする内壁面は、イオンが電気力により内壁面に吸着されることを促進すべきである。このため、当該内壁面は、帯電列において含塵空気よりもイオン側にないようにすべきである。
【００４７】
また、吸引風路１２の内壁面を、帯電列において集塵部２０よりもイオン側にあるようにしてもよい。この場合、集塵部２０よりも吸引風路１２の方がより強くイオンと同極性に帯電する。その結果、吸引風路１２から集塵部２０に向かって、イオンと同極性の電気力線が形成される。このため、イオンは、電気力によって集塵部２０に到達しやすくなる。
【００４８】
また、ケース体３７の内壁面を、帯電列において吸引風路１２よりもイオン側にあるようにしてもよい。この場合、吸引風路１２よりもケース体３７の方がより強くイオンと同極性に帯電する。その結果、ケース体３７から吸引風路１２に向かって、イオンと同極性の電気力線が形成される。このため、イオンは、電気力によって吸引風路１２に放出されやすくなる。
【００４９】
また、ケース体３７の少なくとも一部は、排気空間１８内に露出する。このため、ケース体３７内が高温となる。これにより、イオンのブラウン運動が活発になる。その結果、集中電界内において、イオン化した空気が放電電極３８ｃの近傍に漂いやすくなる。このため、イオンは、放電電極３８ｃの反発力を受けやすくなる。その結果、イオンは、自由空間に放出されやすくなる。
【００５０】
さらに、放出されたイオンのブラウン運動も活発になる。その結果、イオンは、効率よく放出口３７ｄを介して吸引風路１２内に放出される。このため、イオンは、ごみ、吸引風路１２、集塵部２０等の内壁面に行き届きやすくなる。その結果、対象物の除電や凝集を効率良く行うことができる。
【００５１】
また、ケース体３７の温度上昇により、ケース体３７内部での電荷の移動、ケース体３７の内壁面が空気と接触する際の電荷の移動も活発になる。その結果、ケース体３７の内壁面の帯電が促進される。このため、イオンは、より効率的に電気力によって吸引風路１２により効率的に放出される。
【００５２】
また、ケース体３７の温度上昇には、電動送風機１６からの排気の熱が利用される。すなわち、別途加熱源を備える必要がない。このため、構造の簡素化、コストの低減を図ることができる。
【００５３】
さらに、イオン生成手段３８は、電源基板１９に近接して設けられる。このため、イオン生成手段３８への電源線の引き回しを簡素化することができる。
【００５４】
なお、吸引風路１２や集塵部２０の少なくとも一部を排気空間１８内に露出させても、同様な効果を得ることができる。
【００５５】
また、電動送風機１６からの排気の一部は、取込口３７ｃを介してケース体３７内に取り込まれる。このため、イオン生成手段３８付近の空気温度を効率的に上昇させることができる。また、ケース体３７内にイオン化済み空気が充満することを防止できる。このため、イオンの放出効率をさらに高めることができる。また、放電電極３８ｃへのごみの付着を抑制することができる。このため、これらの放電電極３８ｃの寿命を延ばすことができる。この際、電動送風機１６からの排気は、排気フィルタ１７により清浄化される。このため、イオン生成効率をさらに高めることができる。
【００５６】
また、吸引口１１は、本体筐体１０の前方に設けられる。電動送風機１６は、本体筐体１０の後方に設けられる。電動送風機１６は、本体筐体１０の前方に排気する。その結果、イオン生成手段３８を吸引風路１２に近接して設けることができる。このため、イオン生成手段３８と吸引風路１２との間の経路でイオンが消失することを防止できる。また、掃除機本体１を小さくすることができる。
【００５７】
また、イオン生成手段３８は、集塵部２０よりも上流側にイオンを放出する。このため、集塵部２０を除電して、集塵部２０の内壁面へのごみの付着を抑制することができる。その結果、ごみを捨てる際に、ごみの滑落性を向上することができる。すなわち、電気掃除機の使い勝手を良くすることができる。また、イオンと逆電荷のごみ同士を電気力で凝集することができる。このため、集塵部２０の集塵効率を向上することができる。
【００５８】
なお、イオン生成手段３８から放出するイオンを、ごみと逆電荷のイオンとしてもよい。この場合、ごみの凝集効果が高まる。このため、集塵部２０での集塵性能をさらに向上させることができる。
【００５９】
また、取込口３７ｃと放出口３７ｄとを結ぶ平面と放電電極３８ｃの延設方向とが略平行となる。具体的には、放電電極３８ｃの根元側は、取込口３７ｃ側に配置される。これに対し、放電電極３８ｃの先端側は、放出口３７ｄ側に配置される。このため、ケース体３７内の空気の流れは、放電電極３８ｃの延設方向におおよそ一致する。これにより、イオン風と取込口３７ｃからの空気の流れが干渉することを防止できる。その結果、イオン風と空気の流れとの相乗効果により、イオンを吸引風路１２に効率良く放出することができる。すなわち、ケース体３７内におけるイオン化済み空気の充満を防ぎ、イオンの放出効率を高めることができる。
【００６０】
さらに、取込口３７ｃからの空気の流れにより、放電電極３８ｃにごみが付着することを防止できる。このため、イオン生成手段３８の性能が劣化することを防止できる。また、放電電極３８ｃに沿って空気を流すことで、放電電極３８ｃが破損することを防止できる。
【００６１】
また、支持体３８ｂの肉厚方向中心の平面は、放電電極３８ｃの軸心を通過する。このため、支持体３８ｂは、取込口３７ｃから放出口３７ｄまでの空気の流れを妨げない。このため、イオンを吸引風路１２に効率良く放出することができる。
【００６２】
実施の形態２．
図１６はこの発明の実施の形態２における電気掃除機のイオン生成手段の斜視図である。なお、実施の形態１と同一又は相当部分には同一符号を付して説明を省略する。
【００６３】
実施の形態２のイオン生成手段３８は、実施の形態１のイオン生成手段３８に対向電極３８ｄを付加したものである。対向電極３８ｄは、放電電極３８ｃの針先端から放電電極３８ｃの延設方向に距離を置いた位置に設けられる。これにより、放電電極３８ｃの先端からの放電強度が増す。
【００６４】
以上で説明した実施の形態２によれば、対向電極３８ｄは、放電電極３８ｃの先端から放電電極３８ｃの延設方向に距離を置いて配置される。このため、イオン風の方向は、放電電極３８ｃの延設方向と略一致する。これにより、イオン風の方向と取込口３７ｃからの空気の流れとが干渉することを防止できる。その結果、イオン風と空気の流れとの相乗効果により、イオンを吸引風路１２に効率良く放出することができる。すなわち、ケース体３７内におけるイオン化済み空気の充満を防ぎ、イオンの放出効率を高めることができる。
【００６５】
実施の形態３．
図１７はこの発明の実施の形態３における電気掃除機のイオン生成手段の斜視図である。なお、実施の形態１と同一又は相当部分には同一符号を付して説明を省略する。
【００６６】
実施の形態３のイオン生成手段３８は、実施の形態１のイオン生成手段３８に対向電極３８ｄを付加したものである。対向電極３８ｄは、支持体３８ｂの両側から支持体３８ｂから支持体３８ｂの肉厚中心方向に延設される。その結果、対向電極３８ｄは、放電電極３８ｃの軸心に対して対称に、放電電極３８ｃの両側に配置される。
【００６７】
本実施の形態においては、図１７に示すように、放電電極３８ｃの先端から両対向電極３８ｄの先端に向かって放電される。この場合、イオン風の主方向は、両側の対向電極３８ｄへの放電方向をベクトル加算した方向となる。すなわち、イオン風の主方向は、放電電極３８ｃの延設方向となる。
【００６８】
以上で説明した実施の形態３によれば、対向電極３８ｄは、放電電極３８ｃの両側に配置される。このため、放電強度を高めつつ、対向電極３８ｄにより取込口３７ｃからの空気の流れおよびイオン風を乱すことがない。これにより、イオンを吸引風路１２に効率良く放出することができる。すなわち、ケース体３７内におけるイオン化済み空気の充満を防ぎ、イオンの放出効率を高めることができる。
【００６９】
なお、上述した実施の形態１〜３の電気掃除機においては、サイクロン式の集塵方式であった。しかしながら、例えば、紙パックやフィルタといった集塵方式の電気掃除機においても、上記同様の効果を奏することができる。また、電気掃除機を実施の形態１〜３のキャニスタータイプのものに限定する必要もない。
【００７０】
また、イオンを放出する「吸引風路」として、吸込口体９、吸引パイプ８、接続パイプ５、サクションホース４等を選定してもよい。この場合、イオンが電気力により吸込口体９、吸引パイプ８、接続パイプ５、サクションホース４等の内壁面に吸着されることを防止できる。
【００７１】
なお、実施の形態１〜３において、各部品間のシール構造およびロック構造によってイオンの放出経路を妨げないようにすることが望ましい。
【符号の説明】
【００７２】
１  掃除機本体
２  車輪
３  電源コード
４  サクションホース
５  接続パイプ
６  取手
７  操作スイッチ
８  吸引パイプ
９  吸込口体
１０  本体筐体
１０ａ  下筐体
１０ｂ  上筐体
１１  吸引口
１２  吸引風路
１３  排気口
１４  排出風路
１５  吸気フィルタ
１６  電動送風機
１７  排気フィルタ
１８  排気空間
１９  電源基板
２０  集塵部
２０ａ  一次サイクロン分離装置
２０ｂ  二次サイクロン分離装置
２１  一次流入口
２２  一次旋回室
２２ａ  一次円筒部
２２ｂ  一次円錐部
２３  一次開口部
２４  一次集塵室
２５  一次排出口
２５ａ  円錐体
２５ｂ  円筒体
２６  一次排出管
２７  二次流入口
２８  二次旋回室
２８ａ  二次円筒部
２８ｂ  二次円錐部
２９  二次開口部
３０  二次集塵室
３１  ０次集塵室
３２  二次排出口
３３  二次排出管
３４  隔壁
３５  ０次開口部
３６  連通部
３７  ケース体
３７ａ  上ケース
３７ｂ  下ケース
３７ｃ  取込口
３７ｄ  放出口
３８  イオン生成手段
３８ａ  フレーム
３８ｂ  支持体
３８ｃ  放電電極
３８ｄ  対向電極
【図１】
2012228453.tif 000003
【図２】
2012228453.tif 000004
【図３】
2012228453.tif 000005
【図４】
2012228453.tif 000006
【図５】
2012228453.tif 000007
【図６】
2012228453.tif 000008
【図７】
2012228453.tif 000009
【図８】
2012228453.tif 000010
【図９】
2012228453.tif 000011
【図１０】
2012228453.tif 000012
【図１１】
2012228453.tif 000013
【図１２】
2012228453.tif 000014
【図１３】
2012228453.tif 000015
【図１４】
2012228453.tif 000016
【図１５】
2012228453.tif 000017
【図１６】
2012228453.tif 000018
【図１７】
2012228453.tif 000019
【手続補正書】
【提出日】平成23年11月29日(2011.11.29)
【手続補正１】
【補正対象書類名】特許請求の範囲
【補正対象項目名】全文
【補正方法】変更
【補正の内容】
【特許請求の範囲】
【請求項１】
吸引風を発生させる送風機と、
前記送風機を内蔵した筐体と、
前記吸引風により含塵空気を吸い込む吸込口体と、
前記含塵空気の中からごみを捕集する集塵部と、
前記吸込口体と前記集塵部とを連通する吸引風路と、
前記吸引風路にイオンを放出するイオン生成手段と、
前記イオン生成手段を格納したケース体と、
を備え、
前記集塵部は、帯電列において前記含塵空気よりも前記イオン側にない内面を有し、
前記吸引風路、前記ケース体の少なくとも一つは、帯電列において前記含塵空気よりも前記イオン側にある内面を有する電気掃除機。
【請求項２】
前記吸引風路は、帯電列において前記含塵空気よりも前記イオン側にある内面を有し、
前記ケース体は、帯電列において前記吸引風路よりも前記イオン側にある内面を有する請求項１記載の電気掃除機。
【請求項３】
前記吸引風を発生させるための送風機、
を備え、
前記集塵部、前記吸引風路、前記ケース体の少なくとも一つの一部は、前記送風機の下流側に近接した請求項１又は請求項２に記載の電気掃除機。
【手続補正２】
【補正対象書類名】明細書
【補正対象項目名】０００８
【補正方法】変更
【補正の内容】
【０００８】
この発明に係る電気掃除機は、吸引風を発生させる送風機と、前記送風機を内蔵した筐体と、前記吸引風により含塵空気を吸い込む吸込口体と、前記含塵空気の中からごみを捕集する集塵部と、前記吸込口体と前記集塵部とを連通する吸引風路と、前記吸引風路にイオンを放出するイオン生成手段と、前記イオン生成手段を格納したケース体と、を備え、前記集塵部は、帯電列において前記含塵空気よりも前記イオン側にない内面を有し、前記吸引風路、前記ケース体の少なくとも一つは、帯電列において前記含塵空気よりも前記イオン側にある内面を有するものである。
【手続補正書】
【提出日】平成24年2月28日(2012.2.28)
【手続補正１】
【補正対象書類名】特許請求の範囲
【補正対象項目名】全文
【補正方法】変更
【補正の内容】
【特許請求の範囲】
【請求項１】
吸引風を発生させる送風機と、
前記送風機を内蔵した筐体と、
前記吸引風により含塵空気を吸い込む吸込口体と、
前記含塵空気の中からごみを捕集する集塵部と、
前記吸込口体と前記集塵部とを連通する吸引風路と、
前記吸引風路にイオンを放出するイオン生成手段と、
前記イオン生成手段を格納したケース体と、
を備え、
前記集塵部は、帯電列において前記含塵空気よりも前記イオン側にない内面を有し、
前記吸引風路、前記ケース体の少なくとも一つは、帯電列において前記含塵空気よりも前記イオン側にある内面を有することで、
前記集塵部に至るまでの前記吸引風路、前記ケース体の少なくとも一方の内面を、前記イオン生成手段が放出するイオン極性と同極性に帯電させ、イオンが電気力により前記吸引風路、または前記ケース体内の内面に吸着されることを防止させ、
前記集塵部では、前記イオン生成手段が放出するイオンが、電気力により前記集塵部の内面に吸着される電気掃除機。
【請求項２】
前記吸引風路は、帯電列において前記含塵空気よりも前記イオン側にある内面を有し、
前記ケース体は、帯電列において前記吸引風路よりも前記イオン側にある内面を有する請求項１記載の電気掃除機。
【請求項３】
前記吸引風を発生させるための送風機、
を備え、
前記集塵部、前記吸引風路、前記ケース体の少なくとも一つの一部は、前記送風機の下流側に近接した請求項１又は請求項２に記載の電気掃除機。
【手続補正２】
【補正対象書類名】明細書
【補正対象項目名】０００８
【補正方法】変更
【補正の内容】
【０００８】
この発明に係る電気掃除機は、吸引風を発生させる送風機と、前記送風機を内蔵した筐体と、前記吸引風により含塵空気を吸い込む吸込口体と、前記含塵空気の中からごみを捕集する集塵部と、前記吸込口体と前記集塵部とを連通する吸引風路と、前記吸引風路にイオンを放出するイオン生成手段と、前記イオン生成手段を格納したケース体と、を備え、前記集塵部は、帯電列において前記含塵空気よりも前記イオン側にない内面を有し、前記吸引風路、前記ケース体の少なくとも一つは、帯電列において前記含塵空気よりも前記イオン側にある内面を有することで、前記集塵部に至るまでの前記吸引風路、前記ケース体の少なくとも一方の内面を、前記イオン生成手段が放出するイオン極性と同極性に帯電させ、イオンが電気力により前記吸引風路、または前記ケース体内の内面に吸着されることを防止させ、前記集塵部では、前記イオン生成手段が放出するイオンが、電気力により前記集塵部の内面に吸着されるものである。
【手続補正書】
【提出日】平成24年5月15日(2012.5.15)
【手続補正１】
【補正対象書類名】特許請求の範囲
【補正対象項目名】全文
【補正方法】変更
【補正の内容】
【特許請求の範囲】
【請求項１】
吸引風を発生させる送風機と、
前記送風機を内蔵した筐体と、
前記吸引風により含塵空気を吸い込む吸込口体と、
前記含塵空気の中からごみを捕集する集塵部と、
前記吸込口体と前記集塵部とを連通する吸引風路と、
前記吸引風路にイオンを放出するイオン生成手段と、
前記イオン生成手段を格納したケース体と、
を備え、
前記集塵部は、帯電列において前記含塵空気よりも前記イオン側にない内面を有し、
前記吸引風路は、帯電列において前記含塵空気よりも前記イオン側にある内面を有し、
前記ケース体は、帯電列において前記吸引風路よりも前記イオン側にある内面を有することで、
前記集塵部に至るまでの前記吸引風路、前記ケース体の内面を、前記イオン生成手段が放出するイオン極性と同極性に帯電させ、イオンが電気力により前記吸引風路、前記ケース体内の内面に吸着されることを防止させ、
前記集塵部では、前記イオン生成手段が放出するイオンが、電気力により前記集塵部の内面に吸着される電気掃除機。
【請求項２】
前記吸引風を発生させるための送風機、
を備え、
前記集塵部、前記吸引風路、前記ケース体の少なくとも一つの一部は、前記送風機の下流側に近接した請求項１記載の電気掃除機。
【手続補正２】
【補正対象書類名】明細書
【補正対象項目名】０００８
【補正方法】変更
【補正の内容】
【０００８】
この発明に係る電気掃除機は、吸引風を発生させる送風機と、前記送風機を内蔵した筐体と、前記吸引風により含塵空気を吸い込む吸込口体と、前記含塵空気の中からごみを捕集する集塵部と、前記吸込口体と前記集塵部とを連通する吸引風路と、前記吸引風路にイオンを放出するイオン生成手段と、前記イオン生成手段を格納したケース体と、を備え、前記集塵部は、帯電列において前記含塵空気よりも前記イオン側にない内面を有し、前記吸引風路は、帯電列において前記含塵空気よりも前記イオン側にある内面を有し、前記ケース体は、帯電列において前記吸引風路よりも前記イオン側にある内面を有することで、前記集塵部に至るまでの前記吸引風路、前記ケース体の内面を、前記イオン生成手段が放出するイオン極性と同極性に帯電させ、イオンが電気力により前記吸引風路、前記ケース体内の内面に吸着されることを防止させ、前記集塵部では、前記イオン生成手段が放出するイオンが、電気力により前記集塵部の内面に吸着されるものである。